(57)【要約】【課題】より小型化することが可能な水晶振動素子および水晶振動子を提供する。【解決手段】水晶振動子１０は、パッケージ１２の台座１３に一端部２ａを片持ち支持された矩形状の水晶基板２を有する水晶振動素子１を、気密収容している構成であり、水晶振動素子１は、片持ち支持された一端部２ａと対極側の他端部２ｂに位置する幅方向の中央部を除く角部の少なくとも１箇所に突起部８を有し、この突起部８を受けるために、凸状の枕部１８がパッケージの本体内面１２ｃに設けられ、台座１３と枕部１８とにより水晶振動素子１を本体内面１２ｃと略平行に保持している。【選択図】図２
2010114620.tif 000002
【特許請求の範囲】
【請求項１】
矩形状の圧電基板を有する圧電素子であって、
片持ち支持される一端部とは対極の他端部に突起部を有し、
前記突起部は、前記他端部の幅方向中央部を除く角部の少なくとも１箇所に設けられていることを特徴とする圧電素子。
【請求項２】
請求項１に記載の圧電素子において、
前記突起部は、前記圧電基板の表裏両面の側にそれぞれ設けられていることを特徴とする圧電素子。
【請求項３】
請求項１または２に記載の圧電素子を、収容部材の内部へ気密収容したことを特徴とする圧電デバイス。
【請求項４】
請求項３に記載の圧電デバイスにおいて、
前記収容部材は、前記圧電基板の前記突起部に当接可能な凸状の枕部を内面に有していることを特徴とする圧電デバイス。
【請求項５】
請求項４に記載の圧電デバイスにおいて、
前記圧電素子は、前記枕部と、前記圧電基板の前記一端部を受ける台座と、により前記内面と略平行に保持されていることを特徴とする圧電デバイス。
【請求項６】
矩形状の圧電基板を有する圧電素子を製造するための圧電素子製造方法であって、
前記圧電基板の片持ち支持される一端部とは対極の他端部における幅方向中央部を除く角部の少なくとも１箇所に突起部を形成する突起部形成工程と、
前記圧電基板の前記矩形状の中央部を周辺部より厚肉部に形成するメサ構造形成工程と、を有し、
前記突起部形成工程と前記メサ構造形成工程とを同時に行うことを特徴とする圧電素子製造方法。
【発明の詳細な説明】
【技術分野】
【０００１】
本発明は、小型化が可能な構成を有する圧電素子、この圧電素子を備えた圧電デバイスおよび圧電素子製造方法に関する。
【背景技術】
【０００２】
従来、圧電素子である水晶振動素子は、水晶基板の表裏両面の略中央部にそれぞれ設けられた励振電極と、励振電極から水晶基板の一端側まで設けられたリード電極と、を有している。また、圧電デバイスとしての水晶振動子は、水晶振動素子をセラミックパッケージの内部へ収容したものであり、水晶振動素子のリード電極の端部を接着するための内部端子を有している。この内部端子とリード電極とは、導電性接着剤により電気的な導通が図られており、これにより、水晶振動素子は、片持ち支持されて自由振動が可能な状態になっている。
【０００３】
近年、水晶振動子が小型化されるに伴い、水晶振動素子とセラミックパッケージ内面との間隙が少なくなっている。そのため、導電性接着剤の塗布量の相違による当該間隙のバラツキや、水晶振動素子のセラミックパッケージ内面に対する傾き等があると、水晶振動素子の励振電極とセラミックパッケージ内面とが当接しやすくなる。さらに、セラミックパッケージ内面が当該間隙を狭くする方向に反っている場合等では、励振電極とセラミックパッケージ内面とがより当接しやすくなる。励振電極がセラミックパッケージ内面に当接すると、励振電極による水晶振動素子の自由振動が阻害されて、水晶振動子の特性に影響が生じてしまう。
【０００４】
そこで、水晶振動素子のリード電極の端部と対極にある端部に、厚肉突起部を設ける構成が開示されている。この構成によれば、水晶振動素子とセラミックパッケージ内面とに、間隙のバラツキや傾き等があったとしても、セラミックパッケージと水晶振動素子の厚肉突起部とが当接し、水晶振動素子の励振電極とセラミックパッケージとは、当接しない。そのため、水晶振動素子は、励振電極による自由振動を阻害する要因が排除され、安定した特性の維持が可能である（例えば特許文献１）。
【０００５】
【特許文献１】特開２００４−２００７７７号公報
【発明の開示】
【発明が解決しようとする課題】
【０００６】
ここで、水晶振動素子を自由振動させる励振電極による振動変位エネルギーは、励振電極の中央部において最大であり、中央部から離反するにつれて減衰している。また、振動変位エネルギーが同値である部分をプロットすると、中央部を中心とする略相似形の複数の楕円が描かれ、これら楕円は、等力線と称される。そして、水晶振動素子の端部に設けられた厚肉突起部は、励振電極とセラミックパッケージとの直接の当接を防止する効果を有するが、厚肉突起部と干渉する等力線の振動変位エネルギーを損失させてしまう。この損失は、水晶振動素子が小型化するほど影響度も大きくなり、水晶振動素子の安定した特性を維持することが難しくなる。従って、従来の技術では、水晶振動素子および水晶振動子をより小型化することが困難である、という課題があった。
【課題を解決するための手段】
【０００７】
本発明は、上記課題の少なくとも一部を解決するためになされたものであり、以下の適用例または形態として実現することが可能である。
【０００８】
［適用例１］本適用例に係る圧電素子は、矩形状の圧電基板を有し、片持ち支持される一端部とは対極の他端部に突起部を有し、前記突起部は、前記他端部の幅方向中央部を除く角部の少なくとも１箇所に設けられていることを特徴とする。
【０００９】
この圧電素子によれば、一端部を片持ち支持されていて、電界が加えられると歪を生じて変形するなどの電気的エネルギーと機械的エネルギーとの変換、いわゆる圧電効果を効率的に利用することが可能である。この時、圧電素子は、一端部が圧電素子を収容するための収容部材の取り付け部に固定されており、この固定状態のバラツキまたは収容部材の変形等によっては、収容部材に当接する場合がある。圧電素子が収容部材に当接すると、電気的エネルギーと機械的エネルギーとの変換が阻害され、圧電効果が減じてしまう。圧電効果の減じる度合いは、収容部材と当接する圧電素子の部位によって異なり、そのため、圧電素子は、圧電効果による安定した特性を維持することが難しい。これは、圧電素子が小型化するほど顕著になる。そこで、圧電素子の他端部の幅方向中央部を除く角部に突起部を設け、突起部が収容部材と当接するように設定し、圧電素子が収容部材に当接する位置を限定する。この場合、突起部は、圧電基板における収容部材と当接する面側の幅方向中央部を除く角部に、少なくとも１箇所設けられていれば良いが、角部であれば複数設けられている設定も考えられる。また、突起部を幅方向中央部を除く角部に設ける理由は、矩形状の圧電素子において、歪による機械的エネルギーを例にすれば、その大きさが矩形中央近傍で最も大きく、中央近傍から離れるにつれて小さくなる傾向のためである。つまり、圧電素子の中央近傍、即ち機械的エネルギーの最大部分から最も離れている角部に突起部を設け、この突起部を収容部材と当接させるようにすれば、圧電効果の減を最少に抑制することが可能である。これにより、突起部を有する圧電素子は、収容部材との当接位置が限定され、圧電効果をほぼ最大限に発揮できると共に、安定した特性の維持が図れる。そのため、圧電素子がより小型化されても、特性の安定および圧電効果の維持が可能である。
【００１０】
［適用例２］上記適用例に係る圧電素子において、前記突起部は前記圧電基板の表裏両面の側にそれぞれ設けられていることが好ましい。
【００１１】
この構成によれば、圧電素子を片持ち支持状態に取り付ける際に、収容部材と当接する側へ突起部が確実に向いていることを、都度、確認する必要がない。つまり、圧電基板の表裏どちらの面に突起部が設けられているかの確認が不要で、片持ち支持される一端部の側を確認するだけで、圧電素子を片持ち支持状態に容易に取り付けることが可能である。この場合、圧電素子は、表裏どちらの面が収容部材の当接する側と対向したとしても、突起部が収容部材の同位置と当接するように設けられている設定がより望ましい。
【００１２】
［適用例３］本適用例に係る圧電デバイスは、上記適用例１または２に記載の圧電素子を、収容部材の内部へ気密収容したことを特徴とする。
【００１３】
この圧電デバイスによれば、片持ち支持された一端部とは対極の他端部の幅方向中央部を除く角部に突起部を有する圧電素子を備えており、片持ち支持のバラツキ等があっても、突起部が収容部材と当接するようになっていて、突起部以外の圧電基板自体が収容部材に直接当接することを回避している。この場合、突起部は、圧電基板における収容部材と当接する面側の幅方向中央部を除く角部に、少なくとも１箇所設けられていれば良いが、角部であれば複数設けられている設定も考えられる。また、突起部を角部に設ける理由は、矩形状の圧電素子において、歪による機械的エネルギーを例にすれば、その大きさが矩形中央近傍で最も大きく、中央近傍から離れるにつれて小さくなる傾向のためである。つまり、機械的エネルギーの最大部分から最も離れている角部に突起部を設け、この突起部を収容部材と当接させるようにすれば、圧電効果の減を最少に抑制することが可能である。このような突起部を有する圧電素子を備えた圧電デバイスは、収容部材との当接位置が限定され、圧電効果をほぼ最大限に発揮できると共に、安定した特性の維持が図れる。そのため、圧電デバイスは、より小型化されても、特性の安定および圧電効果の維持が可能である。
【００１４】
［適用例４］上記適用例に係る圧電デバイスにおいて、前記収容部材は前記圧電基板の前記突起部を受けるための凸状の枕部を内面に有していることが好ましい。
【００１５】
この構成によれば、収容部材の枕部が圧電素子の突起部を受ける形で接触している。そのため、片持ち支持されている一端部が、例えば導電性接着剤等により、収容部材内面に対して傾いた状態等で固定されていたとしても、最初に、他端部の突起部が枕部と当接し、突起部以外の圧電素子の部分は収容部材内面と当接し難くなっている。これにより、圧電素子は、片持ちされる部分と突起部とだけが収容部材と接触しており、圧電効果が安定して発揮される。一方、突起部がない圧電素子においては、収容部材内面と当接する部分が一定しておらず、当接した部分がどの部分かによって圧電効果にバラツキが生じ、特性が安定しない。このように、突起部を有する圧電素子を備えた圧電デバイスは、一定の箇所即ち突起部が収容部材と当接するような設定のため、圧電効果のバラツキを抑制して、安定した特性を維持することが可能である。
【００１６】
［適用例５］上記適用例に係る圧電デバイスにおいて、前記圧電素子は、前記枕部と、前記圧電基板の前記一端部を受ける台座と、により前記内面と略平行に保持されていることが好ましい。
【００１７】
この構成によれば、圧電素子は、一端部が収容部材に設けられている台座に片持ち支持され、他端部が枕部に突起部を介して当接している。台座と枕部との高さは、一端部が導電性接着剤等で支持されて台座から浮いている長さと、突起部の長さと、を加味して、圧電素子を収容部材内面と略平行に保持するように設定する。また、圧電素子を台座および枕部により収容部材内面から離反させることにより、収容部材内面にそり等が生じていても、突起部以外の圧電素子の部分は、収容部材内面と当接することから確実に回避される。このような台座および枕部により保持された圧電素子を備えた構成の圧電デバイスは、より一層安定した特性を常に維持することが可能である。
【００１８】
［適用例６］本適用例に係る圧電素子製造方法は、矩形状の圧電基板を有する圧電素子を製造するための方法であって、前記圧電基板の片持ち支持される一端部とは対極の他端部における幅方向中央部を除く角部の少なくとも１箇所に突起部を形成する突起部形成工程と、前記圧電基板の前記矩形状の中央部を周辺部より厚肉部に形成するメサ構造形成工程と、を有し、前記突起部形成工程と前記メサ構造形成工程とを同時に行うことを特徴とする。
【００１９】
この圧電素子製造方法によれば、圧電基板は、周辺部をエッチング等の加工により削除し、中央部を厚肉部として残すことにより、メサ構造に形成される。このようなメサ構造の圧電素子は、圧電基板の面積を小さくしても圧電効果が確保されるため、小型化に対応することが可能である。これは、圧電素子において、電気的または機械的エネルギーが質量の大きい部分に集中する傾向にあり、メサ構造の厚肉部にこれらエネルギーを集中させることが可能なことによる。従って、メサ構造の圧電素子は、より小型化に適したものである。この圧電素子は、圧電素子を収容するための収容部材の取り付け部に一端部が固定されて用いられ、一端部とは対極の他端部の幅方向中央部を除く角部に突起部が形成されている。突起部を、他端部の幅方向中央部を除く角部に設ける理由は、矩形状の圧電素子における歪による機械的エネルギーを例にすれば、その大きさが矩形中央近傍で最も大きく、中央近傍から離れるにつれて小さくなる傾向のためである。つまり、圧電素子の中央近傍、即ち機械的エネルギーの最大部分から最も離れている角部に突起部を設け、この突起部を収容部材と当接させるようにすれば、圧電効果の減を最少に抑制することが可能である。このように、メサ構造の圧電素子においては、突起部形成工程とメサ構造形成工程とを、同時に行うことにより、効率的な加工が可能である。
【発明を実施するための最良の形態】
【００２０】
以下、圧電素子および圧電デバイスの具体的な実施形態について図面に従って説明する。本実施形態では、圧電素子として水晶振動素子を例にし、圧電デバイスとしてこの水晶振動素子を備えた水晶振動子を例にして説明する。これら水晶振動素子および水晶振動子は、電気的および機械的エネルギーの損失を抑制する構成を有し、小型化が図れることを特徴とする。
（実施形態）
【００２１】
図１は、本実施形態に係る水晶振動素子の外観を示す斜視図である。図１に示すように、水晶振動素子１は、圧電単結晶材である水晶を略直方体の薄板状に形成した水晶基板（圧電基板）２と、水晶基板２を水平に置いて上面を向いた側である表面側の略中央部に凸状に形成された長方形の励振電極形成部３（３ａ）と、励振電極形成部３ａの長方形角部から長手方向に沿って水晶基板２の一端部２ａまで凸状に延在するリード電極形成部４（４ａ）と、を有している。リード電極形成部４ａは、水晶基板２の一端部２ａにおいて、端辺に沿ってＬ字状に曲って形成されていて、さらに、Ｌ字状に曲った部分と同形状の凸状部が裏面側の対極位置に形成されている。
【００２２】
このように水晶基板２の表面側に形成された励振電極形成部３ａには、金属膜の励振電極５（５ａ）が長方形部を覆うように形成されている。また、リード電極形成部４ａには、励振電極５ａに連なった金属膜であるリード電極６（６ａ）と、リード電極６ａに連なってＬ字状に曲った部分を覆う金属膜であるリード電極端子７（７ａ）と、リード電極端子７ａに連なって裏面側の凸状部を覆う金属膜であるリード電極端子７（７ｂ）と、が形成されている。
【００２３】
同様に、水晶基板２の裏面側にも表面側と同様に金属膜が形成されている。裏面側の励振電極形成部３ｂには、励振電極５ｂが形成され、リード電極形成部４ｂには、励振電極５ｂに連なるリード電極６ｂと、リード電極６ｂに連なるリード電極端子７ｂと、リード電極端子７ｂに連がり表面側の対極位置にあるリード電極端子７ａと、が形成されている。つまり、水晶基板２の長手方向を中心にして回転させれば、上面を向いた側では、励振電極５、リード電極６およびリード電極端子７が同配置となっているように形成されている。この水晶振動素子１は、略中央部が厚肉部として凸状に形成された、いわゆるメサ構造の振動素子である。
【００２４】
そして、水晶基板２は、水晶基板２の一端部２ａに対して長手方向の対極側端部である他端部２ｂに、突起部８を有している。この突起部８は、他端部２ｂの幅方向中央部を除く２つの角部にそれぞれ位置しており、表面側に２つの突起部８ａおよび裏面側に同じく２つの突起部８ｂが形成されている。また、突起部８は、凸状の励振電極形成部３とほぼ同じ高さで突起し、平面視長方形の柱形状をなしている。
【００２５】
ここで、水晶振動素子１を形成する水晶について簡単に説明する。水晶振動素子１の水晶基板２は、圧電単結晶材である水晶柱から切り出される。この水晶柱は、六角柱であって、柱の長手方向に光軸であるＺ軸と、Ｚ軸に垂直な六角形面のＸ−Ｙ平面において、六角形の辺に平行な電気軸であるＸ軸と、Ｘ軸に垂直な機械軸であるＹ軸とを有している。そして、水晶は、Ｘ軸（電気軸）方向に電圧を加えると、加えた電圧の方向に対応してＹ軸（機械軸）方向に伸びあるいは縮みの現象が生じ、逆に、Ｙ軸（機械軸）方向に引っ張りあるいは圧縮を与えると、Ｘ軸（電気軸）方向に電圧が生じる性質を有している。つまり、水晶は、電気的エネルギーと機械的エネルギーとの変換が可能である。
【００２６】
水晶のこの性質を有効に利用するため、水晶振動素子１は、水晶柱のＸ−Ｚ平面において、Ｘ軸回りに約３５度傾いたＸ−Ｚ’平面に沿って切り出された、水晶ウエハ（不図示）からさらに切り出された水晶基板２を用いている。このようにして水晶柱から切り出された水晶振動素子１は、Ｘ−Ｚ’平面に沿う薄板状で、表裏の方向であるＹ’方向に厚さを有していて、ＡＴカット水晶振動子と呼ばれるものである。この水晶振動素子１は、励振電極５ａと励振電極５ｂとの間に電圧が加えられると、いわゆる厚みすべり振動が生じて、規則正しい振動の周波数を持続する。また、ＡＴカットされた水晶振動素子１は、その厚みによって、周波数が決まり、広範な温度域において安定した周波数を保持することができる。
【００２７】
次に、水晶振動素子１をパッケージに収容した水晶振動子について説明する。図２（ａ）は、本実施形態に係る水晶振動子の構成を示す平面図である。また、図２（ｂ）は、水晶振動子の構成を示す断面図であり、図２（ａ）のＡ−Ａ'断面である。なお、図２（ａ）では、パッケージの蓋部を省略して、内部が分かり易いように示してある。図２（ａ）および図２（ｂ）に示すように、水晶振動子１０は、直方体の外観形状をなし、水晶振動素子１をパッケージ（収容部材）１２の内部に収容している。パッケージ１２は、水晶振動素子１を収容するために、平面視すると水晶振動素子１と略相似形である凹状陥部を有するパッケージ本体１２ｂと、凹状陥部を塞ぐためのパッケージ蓋１２ａと、を有している。
【００２８】
パッケージ本体１２ｂは、水晶振動素子１のリード電極端子７を片持ち支持するために凹状陥部の内底面である本体内面（内面）１２ｃの長手方向端辺に設けられた台座１３と、台座１３の設けられた端辺と対極側の端辺に設けられ水晶振動素子１の突起部８を受けるための枕部１８と、を有している。実施形態における台座１３は、水晶振動素子１のリード電極端子７ｂの側をそれぞれ受けるように端辺角部に２箇所設けられていて、リード電極端子７ｂと対向する面には、金属膜の内部端子１４が形成されている。このような水晶振動素子１は、リード電極端子７ｂが、導電性接着剤１６によって、台座１３の内部端子１４と電気的に導通した状態で固定されて片持ち支持されている。そして、パッケージ本体１２ｂの外底面には、本体内面２ｃの内部端子１４と対極する位置に外部端子１５が設けられていて、外部端子１５は、内部端子１４と電気的に導通が図られている。そのため、水晶振動素子１は、内部端子１４および外部端子１５を介して、外部との接続が可能である。
【００２９】
また、枕部１８は、水晶振動素子１の突起部８ｂの側をそれぞれ受けるように、台座１３の側と対極側の端辺角部に２箇所設けられている。この場合、枕部１８の本体内面１２ｃからの高さは、台座１３の高さと、水晶振動素子１のリード電極端子７ｂおよび台座１３の内部端子１４の厚みと、リード電極端子７ｂと内部端子１４との間にある導電性接着剤１６の厚みと、の合計値とほぼ同値に形成されている。これにより、水晶振動素子１は、本体内面１２ｃとほぼ平行に保持される。加えて、水晶振動素子１と本体内面１２ｃとの距離を離反させて間隙２０を確保できるため、本体内面１２ｃが水晶振動素子１の側へ反っている場合でも、水晶振動素子１の励振電極５ｂが本体内面１２ｃと当接することを、確実に回避できる。
【００３０】
このパッケージ本体１２ｂは、セラミック製で台座１３と一体に形成されていて、本体内面１２ｃには、メタライズ加工により台座１３の高さと同等に形成された枕部１８を有している。また、パッケージ本体１２ｂには、凹状陥部の端面にコパールのシームリング（不図示）が銀ローで固着されていて、このシームリングの表面には、ニッケル（Ｎｉ）メッキが施されている。そして、パッケージ蓋１２ａは、シームリングと同じコパールで板状に形成され、板状部を貫通する封止穴（不図示）を有し、パッケージ蓋１２ａの表面にニッケル（Ｎｉ）メッキが施されている。なお、水晶振動素子１は、リード電極端子７ａおよび突起部８ａの側がパッケージ本体１２ｂの本体内面１２ｃと対向するように設けることも可能である。また、枕部１８は、導電性接着剤１６の厚みと突起部８の高さとが異なる場合、枕部１８の形成高さを変更すれば容易に対応できる。
【００３１】
このようなパッケージ１２へ水晶振動素子１を収容した水晶振動子１０の製造は、まずパッケージ本体１２ｂの台座１３に設けられた内部端子１４に、導電性接着剤１６を介して水晶振動素子１を固定する。水晶振動素子１は、固定された一端部２ａが片持ち支持された状態で、他端部２ｂに設けられた突起部８ｂの先端が枕部１８に当接し、本体内面１２ｃとほぼ平行に保持される。次に、大気圧中でシームリングとパッケージ蓋１２ａとをシーム溶接する。その後、パッケージ蓋１２ａの封止穴に、封止穴径より大きい球状の金ゲルマニウム（ＡｕＧｅ）を封止材として配置し、ほぼ真空に減圧したチャンバー内で加熱する。減圧したチャンバー内での加熱により、パッケージ１２内が減圧された状態となると共に、封止材が溶融して封止穴を塞ぐ。このことから、水晶振動素子１は、真空のパッケージ１２内へ気密に封止された状態となる。
【００３２】
ここで、水晶振動素子１の励振電極５は、水晶基板２の励振電極形成部３の凸面部分に、クロム（Ｃｒ）を下地として、その上に金（Ａｕ）を形成した金属膜であり、リード電極６およびリード電極端子７は、リード電極形成部４の凸面部分に、クロム（Ｃｒ）を下地として、その上に金（Ａｕ）を形成した金属膜である。これら金属膜は、スパッタ装置などで形成され、厚さが０．３μｍ程度である。また、導電性接着剤１６は、弾力性を有するシリコン樹脂を母材にして、ニッケル微粉を導電粒子として母材に分散させたものである。従って、水晶振動子１０は、シリコン樹脂の弾力性により水晶振動素子１への応力が緩和され、耐衝撃性の向上が図られている。
【００３３】
次に、図３は、水晶振動素子における振動変位エネルギーの分布を示す平面図である。振動変位エネルギーとは、水晶振動素子１が、厚みすべり振動により振動している量である振動変位をエネルギー換算し、任意の位置での変位を把握しやすくした計算値である。この振動変位エネルギーの分布は、図３に示すように、振動変位エネルギーが同値を示す位置をプロットすると、水晶振動素子１の有する励振電極５の略中央に中心を有する複数の略相似する楕円が描かれる。この楕円を例えば等力線３０と称し、略中央に近い側から順に、等力線３０ａ、等力線３０ｂ、等力線３０ｃとする。
【００３４】
これら等力線３０において、水晶振動素子１の長辺方向（Ｘ軸方向）の振動変位エネルギーは、水晶振動素子１の有する励振電極５の略中央で最大となり、一端部２ａまたは他端部２ｂの方向へ行くほど減衰して小さくなる。即ち、振動変位エネルギーの大きさは、等力線３０ａ＞等力線３０ｂ＞等力線３０ｃとなる。また、水晶振動素子１の短辺方向（Ｚ’軸方向）の振動変位エネルギーは、励振電極５の略中央で最大となり、長手方向端辺の側へ行くほど振動変位エネルギーは減衰して小さくなる。即ち、振動変位エネルギーの大きさは、等力線３０ａ＞等力線３０ｂ＞等力線３０ｃとなる。このような解析により、厚み滑り振動をする水晶振動素子１の振動変位エネルギーは、励振電極５の略中心をピークに、水晶振動素子１の周縁部に向かって次第に減衰することが確認できた。
【００３５】
等力線３０は、水晶振動素子１のリード電極端子７のように導電性接着剤１６（図２）で固定された領域、および突起部８のように枕部１８（図２）と当接した領域、にかかって干渉する場合には、振動変位エネルギーが消失して存在しない。存在する楕円の等力線３０において、振動変位エネルギーが小さいのは、水晶振動素子１の縁部の各辺に最も近い楕円であって、この場合、等力線３０ｃである。励振電極５の略中央に対し等力線３０ｃよりさらに離反すると、等力線３０は、リード電極端子７または突起部８にかかって消失し架空のものとなってしまう。水晶振動素子１では、励振電極５が他端部２ｂの側に寄って形成されているため、突起部８にかからない等力線３０は、リード電極端子７にもかからないようになっている。
【００３６】
図３には、参考として、従来の水晶振動素子における厚肉突起部４０を示してある。従来の厚肉突起部４０は、水晶振動素子１の他端部２ｂに相当する端辺に沿って延在するように設けられている。そのため、従来の水晶振動素子における等力線３０ｃは、延在する厚肉突起部４０と干渉してしまい、振動変位エネルギーが消失する。これに対し、水晶振動素子１では、突起部８が他端部２ｂに沿って延在する構成ではなく、他端部２ｂの２つの角部にのみそれぞれ位置するように設けられている。これにより、水晶振動素子１における等力線３０ｃは、突起部８との干渉が回避され、振動変位エネルギーの消失が回避できる。
【００３７】
次に、上記で説明したような突起部８を有する水晶振動素子１の製造工程について、その要部を説明する。図４は、水晶振動素子の突起部の形成方法を示す斜視図であり、図４（ａ）は、水晶基板へレジストを塗布した状態を示す斜視図、図４（ｂ）は、エッチング加工後の状態を示す斜視図、そして、図４（ｃ）は、水晶基板へ形成された突起部等を示す斜視図である。図４では、水晶基板２の厚さ方向（Ｙ’軸方向）の加工方法を示している。
【００３８】
まず、図４（ａ）に示すように水晶ウエハから切り出された水晶基板２の表面および裏面に、図１に示す励振電極形成部３、リード電極形成部４および突起部８がそれぞれ形成される部分を覆うレジスト膜５０を形成する。このレジスト膜５０の形成の一例を示すと、最初に、水晶基板２の表面および裏面の全面へネガレジスト剤をスピンコートによって塗布して、オーブン炉で焼成する。次に、ネガレジスト剤を覆うようにガラスマスクをセットし、ネガレジストに対して紫外線を露光する。ガラススマスクは、励振電極形成部３、リード電極形成部４および突起部８の部分に配置された透過部と、透過部以外の遮光部と、を有し、透過部では紫外線が透過し、遮光部では紫外線が遮られる。ネガレジスト剤は、紫外線の露光された透過部に対向する部分が硬化する。そして、水晶基板２を現像液によって現像すると、紫外線の露光によって硬化した部分は、現像によって溶解されないが、紫外線の露光されなかった部分は、現像によって溶解される。従って、現像後は、励振電極形成部３、リード電極形成部４および突起部８が形成される部分のみに、レジスト膜５０が形成されている。
【００３９】
次に、水晶基板２のレジスト膜５０が形成されていない表面および裏面の部分を、エッチングにより除去する。レジスト膜５０が形成されている部分は、水晶がエッチングで除去されずに凸状に残る。このようなエッチングにより、水晶基板２へ励振電極形成部３およびリード電極形成部４を凸状に形成すると同時に、突起部８の形成ができ、効率的に加工が行える。また、一度のエッチング加工で、表裏の励振電極形成部３、リード電極形成部４および突起部８が加工されるため、水晶基板２の厚みが正確に確保できる。なお、水晶のエッチングは、この場合フッ酸を用いたが、フッ酸とフッ化アンモニウムなどの混合液等を用いても良い。エッチング加工後の水晶基板２は、図４（ｂ）に示されているように、レジスト膜５０で覆われた励振電極形成部３、リード電極形成部４および突起部８が凸状に形成されている。
【００４０】
そして、エッチング後に、図４（ｃ）に示すように、水晶基板２の励振電極形成部３、リード電極形成部４および突起部８を覆って残っているレジスト膜５０を除去する。こうして、水晶基板２が製造される。なお、この後、水晶基板２は、励振電極形成部３およびリード電極形成部４の凸面部分に、クロム（Ｃｒ）と金（Ａｕ）の金属膜が形成され、これら金属膜が励振電極５、リード電極６およびリード電極端子７である。金属膜の形成により、水晶振動素子１が完成する。
【００４１】
以下、実施形態の主要な効果をまとめて記載する。
【００４２】
（１）水晶振動子１０は、水晶振動素子１が他端部２ｂの幅方向の中央部を除く角部にそれぞれ突起部８を有し、この突起部８をパッケージ１２の枕部１８と当接させる構成である。このような構成により、突起部８を有する水晶振動素子１は、枕部１８との当接位置が一定の角部に常に限定される。そのため、水晶振動素子１は、突起部８以外の励振電極５等がパッケージ１２と当接することを回避でき、振動変位エネルギーの等力線３０の消失を極力抑制できる。つまり、水晶振動子１０は、圧電効果の減を最少に抑制することができる。従って、水晶振動子１０は、小型化されても、等力線３０の消失を抑制し、振動変位エネルギーをほぼ最大限に保持できると共に、安定した特性の維持が図れる。
【００４３】
（２）突起部８は、水晶基板２の表裏両面の側にそれぞれ設けられているため、水晶基板２の表裏どちらの面に突起部８が設けられているかの確認が不要で、パッケージ１２の枕部１８へ対向して設置される。これにより、片持ち支持される水晶振動素子１の一端部２ａの側を確認するだけで、水晶振動素子１をパッケージ１２へ片持ち支持状態に取り付けることが容易に行える。さらに、水晶振動素子１は、パッケージ蓋１２ａと当接するような事態に遭遇しても、突起部８ａがパッケージ蓋１２ａと当接し、励振電極５ａ等の当接を回避できる。
【００４４】
（３）水晶振動素子１は、小型化に適したメサ構造を有している。このようなメサ構造の水晶振動素子１においては、励振電極形成部３およびリード電極形成部４をエッチングで形成する時に、突起部８の形成が同時に効率良く行える。また、水晶基板２の表裏を一度のエッチングで加工するため、厚みも精度良く加工でき、厚みによって周波数が決められるＡＴカットの水晶振動素子１は、小型化されても、その特性を確実に保持することができる。
【００４５】
（４）水晶振動子１０は、水晶振動素子１の一端部２ａがパッケージ１２の台座１３に片持ち支持され、他端部２ｂの突起部８が枕部１８に当接している。このように、水晶振動素子１が、台座１３および枕部１８によってパッケージ１２の本体内面１２ｃから離反していることにより、本体内面１２ｃに水晶振動素子１側への反り等が生じていても、励振電極５ｂが本体内面１２ｃと当接して等力線３０が消失してしまうことを回避できる。このような構成の水晶振動子１０は、より一層安定した特性を常に維持することができる。
【００４６】
また、圧電素子および圧電デバイスは上記の実施形態に限定されるものではなく、次に挙げる変形例のような形態であっても、実施形態とほぼ同様な効果が得られる。
【００４７】
（変形例１）水晶振動素子１の他端部２ｂには、表面側および裏面側それぞれの２つの幅方向の中央部を除く角部に突起部８ａ，８ｂが設けられている。しかし、この構成に限定されるものではなく、例えば、突起部８が、表裏とも１つの幅方向の中央部を除く角部にのみ設けられた構成であっても良い。さらには、突起部８が、表面側あるいは裏面側のいずれかにのみ設けられた構成であっても良い。
【００４８】
（変形例２）突起部８は、平面視長方形の形状をなしているが、この構成に限定されず、平面視丸形やＬ字形等であっても良く、高さ方向に柱状以外の錐状をなしていても良い。
【００４９】
（変形例３）突起部８は、水晶基板２と一体に形成されているが、水晶基板２とは別体の構成であっても良い。
【００５０】
（変形例４）水晶振動素子１は、励振電極５のみが凸状になっているようなメサ構造であっても良い。さらに、水晶振動素子１は、メサ構造の水晶振動素子１に限定されるものではなく、凸状の励振電極形成部３およびリード電極形成部４がないフラットな水晶基板を有する構成のものであっても良い。
【００５１】
（変形例５）本実施形態では、圧電素子として水晶振動素子１を例に説明したが、圧電素子は、水晶のみに限定するものではなく、ランガサイト、四方酸リチウム、タンタル酸リチウム、ニオブ酸リチウム等の圧電材料を用いたものであっても良い。
【００５２】
（変形例６）水晶振動子１０において、励振電極５、リード電極６およびリード電極端子７の金属膜が、実施形態の構成以外の、例えばニッケルと銀（Ａｇ）とのメッキ等でも良く、また、水晶振動素子１を片持ち支持するための導電性接着剤１６が、エポキシ樹脂等を母材としたものであっても良い。
【００５３】
（変形例７）水晶振動子１０のパッケージ１２に形成されている枕部１８は、メタライズ加工によるものではなく、パッケージ本体１２ｂと一体に形成されていても良い。そして、パッケージ１２が、その内部に、水晶振動素子１以外の電子部品等を収容している場合には、それら部品等を枕部１８として用いても良い。
【００５４】
（変形例８）パッケージ１２の内部は、真空状態に封止されているが、真空状態ではなく、窒素、ヘリウム、アルゴンなどの不活性ガスが封入されていても良い。
【図面の簡単な説明】
【００５５】
【図１】本実施形態に係る水晶振動素子の外観を示す斜視図。
【図２】（ａ）本実施形態に係る水晶振動子の構成を示す平面図、（ｂ）水晶振動子の構成を示す断面図。
【図３】水晶振動素子における振動変位エネルギーの分布を示す平面図。
【図４】水晶振動素子の突起部の形成方法を示す斜視図、（ａ）水晶基板へレジストを塗布した状態を示す斜視図、（ｂ）エッチング後の状態を示す斜視図、（ｃ）水晶基板へ形成された突起部等を示す斜視図。
【符号の説明】
【００５６】
１…圧電素子としての水晶振動素子、２…圧電基板としての水晶基板、３…励振電極形成部、４…リード電極形成部、５…励振電極、６…リード電極、８…突起部、１０…圧電デバイスとしての水晶振動子、１２…収容部材としてのパッケージ、１２ａ…パッケージ蓋、１２ｂ…パッケージ本体、１２ｃ…本体内面、１３…台座、１４…内部端子、１５…外部端子、１６…導電性接着剤、１８…枕部、２０…間隙、３０…等力線、４０…厚肉突起部、５０…レジスト膜。
【図１】
2010114620.tif 000003
【図２】
2010114620.tif 000004
【図３】
2010114620.tif 000005
【図４】
2010114620.tif 000006